(57)【要約】【課題】持ち運びが容易であり、コンパクトなスペースで作業が実施でき、作業性を低下させない表示機能付きバインダー、および表示装置を提供する。【解決手段】本発明の表示機能付きバインダー１は、表表紙５と裏表紙６と綴じ込み部８とを有し、綴じ込み部８により表表紙５と裏表紙６との間にノート用紙１０（紙片）を綴じ込み可能なバインダー本体２と、情報を表示する表示部３と、表表紙５もしくは裏表紙６に沿う第１の方向に、少なくとも表示部３の表示面が表表紙５もしくは裏表紙６と対向する位置から表示面が表表紙５もしくは裏表紙６と対向しない位置まで表示部３を回転移動させ、紙片のページめくり時に表示部３の退避動作を行わせる回転移動機構４と、を備えている。【選択図】図１
2013154518.tif 000002
【特許請求の範囲】
【請求項１】
表表紙と裏表紙と綴じ込み部とを有し、前記綴じ込み部により前記表表紙と前記裏表紙との間に紙片を綴じ込み可能なバインダー本体と、
情報を表示する表示部と、
前記表表紙もしくは前記裏表紙に沿う第１の方向に、少なくとも前記表示部の表示面が前記表表紙もしくは前記裏表紙と対向する位置から前記表示面が前記表表紙もしくは前記裏表紙と対向しない位置まで前記表示部を回転移動させ、前記紙片のページめくり時に前記表示部の退避動作を行わせる回転移動機構と、
を備えたことを特徴とする表示機能付きバインダー。
【請求項２】
前記回転移動機構が、前記表示部を一辺で支持する支持部材と、前記支持部材の長手方向に垂直な回転軸周りに前記支持部材を回転させる１軸ヒンジ部と、を備えたことを特徴とする請求項１に記載の表示機能付きバインダー。
【請求項３】
前記回転移動機構が、前記第１の方向に前記表示部を回転移動させることに加えて、前記綴じ込み部を中心として前記表表紙と前記裏表紙とが開閉する方向である第２の方向に前記表示部を回転移動させ、前記表示部のページめくり動作を行わせることを特徴とする請求項１または２に記載の表示機能付きバインダー。
【請求項４】
前記回転移動機構が、前記表示部を一辺で支持する支持部材と、前記支持部材の長手方向に垂直な回転軸周りに前記支持部材を回転させるとともに、前記支持部材の長手方向に平行な回転軸周りに前記支持部材を回転させる２軸ヒンジ部と、を備えたことを特徴とする請求項３に記載の表示機能付きバインダー。
【請求項５】
前記表示部が、両面表示可能なディスプレイで構成され、
前記表示部のページめくり動作を行った際に前記ディスプレイの視認側の面で表示が行われることを特徴とする請求項３または４に記載の表示機能付きバインダー。
【請求項６】
前記綴じ込み部の延在方向における前記表示部の寸法が、前記綴じ込み部の延在方向における前記表表紙と前記裏表紙の寸法よりも小さく、
前記表示部を前記綴じ込み部の延在方向に平行移動させる平行移動機構を備えたことを特徴とする請求項１から５のいずれか一項に記載の表示機能付きバインダー。
【請求項７】
前記平行移動機構が、前記表示部を一辺で支持するとともに、前記一辺の延在方向に伸縮可能な支持部材を備えたことを特徴とする請求項６に記載の表示機能付きバインダー。
【請求項８】
前記表示部が、表示内容以外の領域が透けて見える透明ディスプレイで構成されたことを特徴とする請求項１から７のいずれか一項に記載の表示機能付きバインダー。
【請求項９】
前記透明ディスプレイが、液晶ディスプレイからなることを特徴とする請求項８に記載の表示機能付きバインダー。
【請求項１０】
表表紙と裏表紙と綴じ込み部とを有し、複数の紙片が綴じ込まれてなるノートもしくは書籍に装着された形態で用いられる表示装置であって、
情報を表示する表示部と、
前記表表紙もしくは前記裏表紙に沿う第１の方向に、少なくとも前記表示部の表示面が前記表表紙もしくは前記裏表紙と対向する位置から前記表示面が前記表表紙もしくは前記裏表紙と対向しない位置まで前記表示部を回転移動させ、前記紙片のページめくり時に前記表示部の退避動作を行わせる回転移動機構と、
前記表示部を前記ノートもしくは前記書籍に装着するための装着部と、
を備えたことを特徴とする表示装置。
【請求項１１】
前記回転移動機構が、前記表示装置を一辺で支持する支持部材と、前記支持部材の長手方向に垂直な回転軸周りに前記支持部材を回転させる１軸ヒンジ部と、を備えたことを特徴とする請求項１０に記載の表示装置。
【請求項１２】
前記回転移動機構が、前記第１の方向に前記表示部を回転移動させることに加えて、前記綴じ込み部を中心として前記表表紙と前記裏表紙とが開閉する方向である第２の方向に前記表示部を回転移動させ、前記表示部のページめくり動作を行わせることを特徴とする請求項１０または１１に記載の表示装置。
【請求項１３】
前記回転移動機構が、前記表示部を一辺で支持する支持部材と、前記支持部材の長手方向に垂直な回転軸周りに前記支持部材を回転させるとともに、前記支持部材の長手方向に平行な回転軸周りに前記支持部材を回転させる２軸ヒンジ部と、を備えたことを特徴とする請求項１２に記載の表示装置。
【請求項１４】
前記表示部が、両面表示可能なディスプレイで構成され、
前記表示部のページめくり動作を行った際に前記ディスプレイの視認側の面で表示が行われることを特徴とする請求項１２または１３に記載の表示装置。
【請求項１５】
前記綴じ込み部の延在方向における前記表示部の寸法が、前記綴じ込み部の延在方向における前記表表紙と前記裏表紙の寸法よりも小さく、
前記表示部を前記綴じ込み部の延在方向に平行移動させる平行移動機構を備えたことを特徴とする請求項１０から１４のいずれか一項に記載の表示装置。
【請求項１６】
前記平行移動機構が、前記表示部を一辺で支持するとともに、前記一辺の延在方向に伸縮可能な支持部材を備えたことを特徴とする請求項１５に記載の表示装置。
【請求項１７】
前記表示部が、表示内容以外の領域が透けて見える透明ディスプレイで構成されたことを特徴とする請求項１０から１６のいずれか一項に記載の表示装置。
【請求項１８】
前記透明ディスプレイが、液晶ディスプレイからなることを特徴とする請求項１７に記載の表示装置。
【請求項１９】
両面表示可能なディスプレイで構成される表示部を、視認側で表面と裏面が変わるように回転移動を行った際に、前記ディスプレイの視認側の面で表示を行うことを特徴とするプロセッサ。
【請求項２０】
両面表示可能なディスプレイで構成される表示部を、視認側で表面と裏面が変わるように回転移動させる第１の過程と、
前記回転移動を行った際に、制御部が、前記ディスプレイの視認側の面で表示を行う第２の過程と、
を有することを特徴とする制御方法。
【請求項２１】
コンピュータに、
両面表示可能なディスプレイで構成される表示部を、視認側で表面と裏面が変わるように回転移動を行った際に、前記ディスプレイの視認側の面で表示を行う制御手段、を実行させるための制御プログラム。
【発明の詳細な説明】
【技術分野】
【０００１】
本発明は、表示機能付きバインダー、表示装置、プロセッサ、制御方法、および制御プログラムに関する。
【背景技術】
【０００２】
近年の液晶表示装置は、薄型化、軽量化、表示の高コントラスト化が進み、紙に近い機能が求められている。下記の特許文献１には、複数枚の液晶表示素子を重ね合わせた状態に保持した「液晶表示装置」が開示されている。この液晶表示装置は、複数枚の液晶表示素子の各々が一辺を中心に回転することで、ページめくり動作が行えるものである。
【０００３】
下記の特許文献２には、ファイル本体と電子ペーパーとのそれぞれに接続端子を設け、ファイル本体に対して電子ペーパーを着脱可能とした「電子ペーパーファイル」が開示されている。この電子ペーパーファイルは、ファイル本体から所望の電子ペーパーのみを取り外すことができるものである。
【０００４】
下記の特許文献３には、システム手帳に綴じ込み可能な基板と、この基板に対して折り畳み、展開が可能なモバイル取付板とからなる「システム手帳用モバイルホルダー」が開示されている。このモバイルホルダーを使用すると、携帯情報端末等のモバイル機器の操作とリフィルに対する書き込みとを同時に行いたい場合に、モバイル機器をシステム手帳から取り外すことなく、作業を行うことができる。
【先行技術文献】
【特許文献】
【０００５】
【特許文献１】特開２００１−３１１９３９号公報
【特許文献２】特開２００１−３１２２２７号公報
【特許文献３】特開２０００−３０１８７５号公報
【発明の概要】
【発明が解決しようとする課題】
【０００６】
例えば、外出先で携帯電子機器を用いて用語検索等の作業を行いつつ、検索画面を見ながらノートに文章を筆記する作業を行う場合、特許文献１の液晶表示装置を用いたとすると、携帯電子機器とノートの両方を持ち歩かなければならず、不便である。特許文献２の電子ペーパーファイルにも同様の問題がある。一方、特許文献３のシステム手帳用モバイルホルダーを用いると、上記の問題を解決することができる。しかしながら、特許文献３のモバイルホルダーを用いて上記の作業を行う場合、モバイル機器を保持した取付板をシステム手帳の外側に展開する必要がある。そのため、取付板を展開するための広いスペースが必要となり、使い勝手が悪く、作業性が低下する、という問題がある。
【０００７】
上記の問題はホルダーに取り付けるモバイル機器が大きくなる程、顕著になる。また、ノートに文章を筆記する作業の他、携帯電子機器を用いて用語検索等の作業を行いつつ、本を読む作業を行うような場合にも同様の問題がある。
【０００８】
本発明は、上記の課題を解決するためになされたものであって、持ち運びが容易であり、かつ、表示画面を見ながら他の作業を行う場合にコンパクトなスペースで作業を行うことができ、作業性を低下させることのない表示機能付きバインダー、表示装置、プロセッサ、制御方法および制御プログラムの提供を目的とする。
【課題を解決するための手段】
【０００９】
上記の目的を達成するために、本発明の表示機能付きバインダーは、表表紙と裏表紙と綴じ込み部とを有し、前記綴じ込み部により前記表表紙と前記裏表紙との間に紙片を綴じ込み可能なバインダー本体と、情報を表示する表示部と、前記表表紙もしくは前記裏表紙に沿う第１の方向に、少なくとも前記表示部の表示面が前記表表紙もしくは前記裏表紙と対向する位置から前記表示面が前記表表紙もしくは前記裏表紙と対向しない位置まで前記表示部を回転移動させ、前記紙片のページめくり時に前記表示部の退避動作を行わせる回転移動機構と、を備えたことを特徴とする。
【００１０】
本発明の表示機能付きバインダーは、前記回転移動機構が、前記表示部を一辺で支持する支持部材と、前記支持部材の長手方向に垂直な回転軸周りに前記支持部材を回転させる１軸ヒンジ部と、を備えたことを特徴とする。
【００１１】
本発明の表示機能付きバインダーは、前記回転移動機構が、前記第１の方向に前記表示部を回転移動させることに加えて、前記綴じ込み部を中心として前記表表紙と前記裏表紙とが開閉する方向である第２の方向に前記表示部を回転移動させ、前記表示部のページめくり動作を行わせることを特徴とする。
【００１２】
本発明の表示機能付きバインダーは、前記回転移動機構が、前記表示部を一辺で支持する支持部材と、前記支持部材の長手方向に垂直な回転軸周りに前記支持部材を回転させるとともに、前記支持部材の長手方向に平行な回転軸周りに前記支持部材を回転させる２軸ヒンジ部と、を備えたことを特徴とする。
【００１３】
本発明の表示機能付きバインダーは、前記表示部が、両面表示可能なディスプレイで構成され、前記表示部のページめくり動作を行った際に前記ディスプレイの視認側の面で表示が行われることを特徴とする。
【００１４】
本発明の表示機能付きバインダーは、前記綴じ込み部の延在方向における前記表示部の寸法が、前記綴じ込み部の延在方向における前記表表紙と前記裏表紙の寸法よりも小さく、前記表示部を前記綴じ込み部の延在方向に平行移動させる平行移動機構を備えたことを特徴とする。
【００１５】
本発明の表示機能付きバインダーは、前記平行移動機構が、前記表示部を一辺で支持するとともに、前記一辺の延在方向に伸縮可能な支持部材を備えたことを特徴とする。
【００１６】
本発明の表示機能付きバインダーは、前記表示部が、表示内容以外の領域が透けて見える透明ディスプレイで構成されたことを特徴とする。
【００１７】
本発明の表示機能付きバインダーは、前記透明ディスプレイが、液晶ディスプレイからなることを特徴とする。
【００１８】
本発明の表示装置は、表表紙と裏表紙と綴じ込み部とを有し、複数の紙片が綴じ込まれてなるノートもしくは書籍に装着された形態で用いられる表示装置であって、情報を表示する表示部と、前記表表紙もしくは前記裏表紙に沿う第１の方向に、少なくとも前記表示部の表示面が前記表表紙もしくは前記裏表紙と対向する位置から前記表示面が前記表表紙もしくは前記裏表紙と対向しない位置まで前記表示部を回転移動させ、前記紙片のページめくり時に前記表示部の退避動作を行わせる回転移動機構と、前記表示部を前記ノートもしくは前記書籍に装着するための装着部と、を備えたことを特徴とする。
【００１９】
本発明の表示装置は、前記回転移動機構が、前記表示装置を一辺で支持する支持部材と、前記支持部材の長手方向に垂直な回転軸周りに前記支持部材を回転させる１軸ヒンジ部と、を備えたことを特徴とする。
【００２０】
本発明の表示装置は、前記回転移動機構が、前記第１の方向に前記表示部を回転移動させることに加えて、前記綴じ込み部を中心として前記表表紙と前記裏表紙とが開閉する方向である第２の方向に前記表示部を回転移動させ、前記表示部のページめくり動作を行わせることを特徴とする。
【００２１】
本発明の表示装置は、前記回転移動機構が、前記表示部を一辺で支持する支持部材と、前記支持部材の長手方向に垂直な回転軸周りに前記支持部材を回転させるとともに、前記支持部材の長手方向に平行な回転軸周りに前記支持部材を回転させる２軸ヒンジ部と、を備えたことを特徴とする。
【００２２】
本発明の表示装置は、前記表示部が、両面表示可能なディスプレイで構成され、前記表示部のページめくり動作を行った際に前記ディスプレイの視認側の面で表示が行われることを特徴とする。
【００２３】
本発明の表示装置は、前記綴じ込み部の延在方向における前記表示部の寸法が、前記綴じ込み部の延在方向における前記表表紙と前記裏表紙の寸法よりも小さく、前記表示部を前記綴じ込み部の延在方向に平行移動させる平行移動機構を備えたことを特徴とする。
【００２４】
本発明の表示装置は、前記平行移動機構が、前記表示部を一辺で支持するとともに、前記一辺の延在方向に伸縮可能な支持部材を備えたことを特徴とする。
【００２５】
本発明の表示装置は、前記表示部が、表示内容以外の領域が透けて見える透明ディスプレイで構成されたことを特徴とする。
【００２６】
本発明の表示装置は、前記透明ディスプレイが、液晶ディスプレイからなることを特徴とする。
【００２７】
本発明のプロセッサは、両面表示可能なディスプレイで構成される表示部を、視認側で表面と裏面が変わるように回転移動を行った際に、前記ディスプレイの視認側の面で表示を行うことを特徴とする。
【００２８】
本発明の制御方法は、両面表示可能なディスプレイで構成される表示部を、視認側で表面と裏面が変わるように回転移動させる第１の過程と、前記回転移動を行った際に、制御部が、前記ディスプレイの視認側の面で表示を行う第２の過程と、を有することを特徴とする。
【００２９】
本発明の制御プログラムは、コンピュータに、両面表示可能なディスプレイで構成される表示部を、視認側で表面と裏面が変わるように回転移動を行った際に、前記ディスプレイの視認側の面で表示を行う制御手段、を実行させることを特徴とする。
【発明の効果】
【００３０】
本発明によれば、持ち運びが容易であり、かつ、表示画面を見ながら他の作業を行う場合にコンパクトなスペースで作業を行うことができ、作業性を低下させることのない表示機能付きバインダー、および表示装置を提供することができる。
【図面の簡単な説明】
【００３１】
【図１】第１実施形態の表示機能付きバインダーを示す斜視図である。
【図２】本実施形態の表示機能付きバインダーの表示部を拡大視した斜視図である。
【図３】（Ａ）、（Ｂ）本実施形態の表示機能付きバインダーの一つの動作を説明するための図である。
【図４】（Ａ）、（Ｂ）本実施形態の表示機能付きバインダーの他の動作を説明するための図である。
【図５】（Ａ）、（Ｂ）本実施形態の表示機能付きバインダーの２軸ヒンジ部を示す斜視図である。
【図６】本実施形態の表示機能付きバインダーの制御部の構成を示すブロック図である。
【図７】本実施形態の表示機能付きバインダーを充電する様子を示す図である。
【図８】本実施形態の表示機能付きバインダーの充電回路部を示すブロック図である。
【図９】本実施形態の表示機能付きバインダーの使用方法を示す図である。
【図１０】本実施形態の表示機能付きバインダーの使用方法を示す図である。
【図１１】本実施形態の表示機能付きバインダーの使用方法を示す図である。
【図１２】（Ａ）〜（Ｅ）本実施形態の変形例の２軸ヒンジ部を示す斜視図である。
【図１３】（Ａ）〜（Ｃ）ページめくり動作時の２軸ヒンジ部の動作を示す斜視図である。
【図１４】（Ａ）〜（Ｃ）ページめくり動作時の表示部を含む２軸ヒンジ部の動作を示す斜視図である。
【図１５】（Ａ）〜（Ｃ）表示部の退避動作時の２軸ヒンジ部の動作を示す斜視図である。
【図１６】（Ａ）〜（Ｃ）表示部の退避動作時の表示部を含む２軸ヒンジ部の動作を示す斜視図である。
【図１７】（Ａ）〜（Ｃ）表示部の退避動作時の２軸ヒンジ部の動作を示す斜視図である。
【図１８】（Ａ）〜（Ｃ）表示部の退避動作時の表示部を含む２軸ヒンジ部の動作を示す斜視図である。
【図１９】第２実施形態の表示装置を示す斜視図である。
【図２０】（Ａ）〜（Ｃ）本実施形態の表示装置の装着部を示す斜視図である。
【図２１】（Ａ）〜（Ｄ）本実施形態の表示装置の使用方法を示す図である。
【図２２】（Ａ）、（Ｂ）第３実施形態の表示機能付きバインダーの一つの動作を説明するための図である。
【図２３】（Ａ）、（Ｂ）各実施形態の表示制御を説明する説明図である。
【図２４】（Ａ）、（Ｂ）各実施形態の表示制御を説明する別の説明図である。
【図２５】各実施形態の制御部の論理構成を示す概略ブロック図である。
【図２６】各実施形態の制御部の動作の一例を示すフローチャートである。
【図２７】各実施形態の制御部の別の動作の一例を示すフローチャートである。
【発明を実施するための形態】
【００３２】
［第１実施形態］
以下、本発明の第１実施形態について、図１〜図１１を用いて説明する。
本実施形態では、バインダーと表示部とが一体となった表示機能付きバインダーの一例を挙げる。
図１は、本実施形態の表示機能付きバインダーを示す斜視図である。図２は、本実施形態の表示機能付きバインダーの表示部を拡大視した斜視図である。なお、以下の説明では、説明を簡略化するため、表示機能付きバインダーのことを単にバインダーと称する。
なお、以下の各図面においては各構成要素を見やすくするため、構成要素によって寸法の縮尺を異ならせて示すことがある。
【００３３】
本実施形態のバインダー１は、図１、図２に示すように、バインダー本体２と、表示部３と、回転移動機構４と、を備えている。バインダー本体２は、表表紙５と、裏表紙６と、背表紙７と、綴じ込み部８とを有している。背表紙７には、開閉可能な複数のリング９からなる綴じ込み部８が設けられている。この綴じ込み部８により、矩形状の紙面の一辺に複数の穴が設けられたノート用紙１０（紙片）を表表紙５と裏表紙６との間に綴じ込むことができる。また、必要に応じて、綴じ込み部８を開き、所望のノート用紙を抜き取ったり、ノート用紙を追加したりすることができる。バインダー本体２は、いわゆるルーズリーフ型のものである。例えば、Ａ４サイズ対応のバインダー本体２であれば、３０個のリング９からなる綴じ込み部８を有しており、３０個の穴が設けられたＡ４サイズのノート用紙１０を綴じ込むことができる。
【００３４】
以下の説明では、方向を表す際に、綴じ込み部の延在方向、すなわち、複数のリングが配列された方向を縦方向、綴じ込み部の延在方向と直交する方向を横方向、と称する。
【００３５】
表示部３は、無線通信により、例えばインターネットのウェブサイト等の外部からの情報を表示する。表示部３は、表示内容以外の領域が透けて見えるディスプレイ、いわゆる透明ディスプレイで構成されている。表示部３を構成するディスプレイとして、液晶ディスプレイを採用した場合は、その液晶ディスプレイはバックライトを有しておらず、太陽光や照明光等の外光により表示を行う反射型の液晶ディスプレイである。透明ディスプレイとしては、液晶ディスプレイだけでなく、有機ＥＬ等の自発光素子を用いたディスプレイを採用することも可能である。その場合、バックライトは不要であり、それ自体が発光して文字や図形等を表示できる透明なディスプレイを実現できる。また、表示部３は、透明であることから、表から見ても裏から見ても表示内容は確認でき、両面表示可能なディスプレイとなっている。ただし、表から見たときと裏から見たときとで表示の切り替えを行わない場合、表示内容をそのまま裏から見ると、鏡像が表示されているように見えることになる。もしくは、後述するように、表示部３のページめくり動作を行った際に、表示部３の視認側の面で表示が正しく見えるように、ページめくり動作と連動して表示が切り替わる（表示制御とも称する）構成としても良い。
以下、ディスプレイとしては、バックライトを持たない透明な液晶ディスプレイを用いた例で説明するが、有機ＥＬディスプレイ等を用いた場合でも同様に構成することが可能である。
【００３６】
表示部３の縦方向の寸法は、表表紙５および裏表紙６の縦方向の寸法よりも小さく、ノート用紙１０の縦方向の寸法の約半分である。表示部３の横方向の寸法は、ノート用紙１０の横方向の寸法と略同等である。表示部３を構成する液晶ディスプレイは、内面に透明電極が形成された一対の透明基板の間に液晶が挟持されたものである。液晶ディスプレイは従来一般のものを用いることができ、詳細な説明は省略する。ただし、表示部３はバインダー本体２の中に挟み込まれるため、表示部３の厚みは薄い方が好ましい。例えば透明基板としてプラスチック基板を用いた液晶ディスプレイが用いられることが好ましい。さらに、表示部３には、図示しないタッチパネルが備えられている。
【００３７】
回転移動機構４は、支持部材１２と、２軸ヒンジ部１３とを備えている。支持部材１２は、表示部３の四辺のうち、綴じ込み部８に沿った一辺で表示部３を支持する長尺の部材である。使用者から見て、支持部材１２は、綴じ込み部８の手前側に配置されている。２軸ヒンジ部１３は、表示部３を互いに直交する２つの軸方向に回転させるための部材である。本実施形態の回転移動機構４は、図３（Ａ）、（Ｂ）、図４（Ａ）、（Ｂ）に示すように、支持部材１２が長手方向に沿って伸縮可能である。したがって、回転移動機構４は、表示部３を綴じ込み部８の延在方向に平行移動させる平行移動機構を兼ね備えている。
【００３８】
２軸ヒンジ部１３は、図５（Ａ）、（Ｂ）に示すように、台座部１４と、支持部材１２が接合された第１の回転軸１５と、台座部１４と第１の回転軸１５とを連結する第２の回転軸１６と、を備えている。支持部材１２は、第１の回転軸１５により支持部材１２の長手方向に垂直な回転軸周りに回転する。また、支持部材１２は、第２の回転軸１６により支持部材１２の長手方向に平行な回転軸周りに回転する。図３（Ａ）、（Ｂ）に示すように、支持部材１２を第１の回転軸１５周りに回転させると、ノート用紙１０のページめくり時に表示部３の退避動作を行わせることができる。図５（Ａ）、（Ｂ）に示すように、支持部材１２を第２の回転軸１６周りに回転させると、表示部３のページめくり動作を行わせることができる。これらの動作については後で詳述する。
【００３９】
支持部材１２は、図４（Ａ）、（Ｂ）に示すように、第１の支持部材１８と第２の支持部材１９と第３の支持部材２０とから構成されている。第１の支持部材１８は、２軸ヒンジ部１３の第１の回転軸１５に接合されている。第３の支持部材２０は、表示部３の一辺に接合されている。第２の支持部材１９は、第１の支持部材１８と第３の支持部材２０との間に挿入されている。第２の支持部材１９は、第１の支持部材１８によりガイドされて第１の支持部材１８の長手方向に摺動可能となっている。同様に、第３の支持部材２０は、第２の支持部材１９によりガイドされて第２の支持部材１９の長手方向に摺動可能となっている。このような構成により、支持部材１２は、その全体が長手方向に沿って伸縮する。
【００４０】
図６に示すように、表示部３を制御する制御部２２が、表示部３及び背表紙７に内蔵されている。なお、制御部２２は、その一部が表表紙５又は裏表紙６に内臓されていても良い。制御部２２は、タッチパネルコントローラ２３、ＵＳＢマルチプレクサ２４、３Ｇ通信モジュール２５、無線ＬＡＮブルートゥースＬＳＩ２６、ＣＰＵ２７、ＮＡＮＤフラッシュメモリ２８、ディスプレイ＆ＰＣＩエクスプレスマルチプレクサ２９、クロック３０、オーディオデコーダー３１、加速度センサー３２、非接触充電用インダクタ（コイル）３３、電源ＩＣ３４、２次電池３５等を備えている。上記の構成要素のうち、加速度センサー３２は、表示部３のいずれの面が視認側（使用者側）に位置し、いずれの面がノート用紙１０側に位置しているかを判断するのに用いるセンサーである。
【００４１】
本実施形態のバインダー１は、表示部３を起動するための電力が必要である。電力は、図７に示すように、充電器３７の上にバインダー１を載置することで得られる。すなわち、本実施形態のバインダー１においては、内蔵した２次電池３５に対して非接触充電方式により電力が伝送される。
【００４２】
図８に示すように、充電器３７は、整流・平滑回路３８、共振回路３９、間欠発振回路４０、本体検知・充電制御信号発振回路４１、一次側トランス４２、などを備えている。バインダー１の充電回路部４４は、充電制御用マイコン４５、出力整流回路４６、補助電源回路４７、本体検知・充電制御信号発振回路４８、二次側トランス４９、などを備えている。充電回路部４４からは、充電制御信号が充電器３７に伝達される。充電器３７からは、電力が充電回路部４４に伝達される。
【００４３】
以下、上記構成のバインダー１の使用方法について説明する。
例えば、表示部３を用いて用語検索等の作業を行いつつ、検索画面を見ながらノートに文章を筆記する作業を行う場合を考える。
この場合、表示部３上のタッチパネルを用いて所定の操作を行い、表示部３に例えばインターネットの検索ウェブサイト等からの検索結果を表示させる。
【００４４】
ここで、例えば図９（Ａ）に示すように、表示部３を右ページの上側に置けば、左ページのノート用紙１０の全体に文章を筆記することができる。右ページのノート用紙１０の下側にも文章を筆記することができる。上述したように、表示部３は透明液晶ディスプレイで構成されているため、表示部３をノート用紙１０上に配置した際にノート用紙１０が外光を反射させる反射板として機能する。例えばノート用紙１０として一般的な白色の紙を用いた場合、ノート用紙１０が高い光反射率を有するため、表示部３は明るい表示を行うことができる。
【００４５】
次に、支持部材１２を、図４（Ａ）に示す状態から図４（Ｂ）に示すように長手方向に引き伸ばすことにより、図９（Ｂ）に示すように、表示部３を右ページの上側から下側にスライドさせることができる。これにより、右ページのノート用紙の上側にも文章を筆記することができる。
【００４６】
次に、支持部材１２を、図５（Ａ）、（Ｂ）に示すように、２軸ヒンジ部１３の第２の回転軸１６周りに回転させることにより、表示部３のページめくり動作を行わせることができる。この動作により、例えば図９（Ａ）に示す状態から、図１０（Ａ）に示すように、表示部３を右ページの上側から左ページの上側に移動することができる。これにより、右ページのノート用紙１０の全体に文章を筆記することができる。左ページのノート用紙１０の下側にも文章を筆記することができる。
【００４７】
表示部３のページめくり動作を行った際には、加速度センサー３２からの信号を受けて、ＣＰＵ２７は、表示部３のいずれの面が視認側（使用者側）に位置し、いずれの面がノート用紙１０側に位置しているかを判断する。これにより、表示部３の視認側の面で表示が行われるように表示面の表裏が切り替わる。この表示面の表裏が切り替わる制御（表示制御）の詳細については、後述する。
【００４８】
次に、支持部材１２を、図４（Ａ）に示す状態から図４（Ｂ）に示すように長手方向に引き伸ばすことにより、図１０（Ｂ）に示すように、表示部３を左ページの上側から下側にスライドさせることができる。これにより、左ページのノート用紙１０の上側にも文章を筆記することができる。以上の操作を行えば、現在見開いている左右のページの全てに文章を筆記することができる。
【００４９】
左右のページを使った後でさらに筆記作業を続けたい場合、もしくは新しい白紙のページに文章を筆記したい場合には、ノート用紙１０のページをめくる必要がある。ところが、このとき、単にノート用紙１０のページをめくっただけでは、めくったノート用紙１０の下に表示部３が隠れてしまい、表示を見ることができなくなる。
【００５０】
この場合、支持部材１２を、図３（Ａ）、（Ｂ）に示すように、２軸ヒンジ部１３の第１の回転軸１５周りに回転させることにより、表示部３の退避動作を行わせることができる。すなわち、表示部３を、図９（Ａ）に示す位置、すなわち表示部３の表示面が裏表紙６と対向する位置から、図１１に示すように、裏表紙６の面に沿う面内方向に表示面が裏表紙６と対向しない位置まで回転移動させる。このようにすれば、表示部３がバインダー本体２の外側に退避するため、ノート用紙１０のページめくり動作を支障なく行うことができる。なお、表示部３は、図１１に示す位置にあるときに、表示を続行する構成であっても良いし、表示を一旦停止する構成であっても良い。
【００５１】
本実施形態のバインダー１によれば、例えば外出先で用語検索等の作業を行いつつ、検索画面を見ながらノートに文章を筆記する作業を行う場合、電子機器とノートの両方を持ち歩く必要がなく、非常に便利である。また、表示部３をノート用紙１０上に配置した状態で筆記作業が行えるため、バインダー１を置くだけのスペースさえあれば、作業が可能である。また、バインダー１を置けるスペースがなく、使用者の膝の上にバインダーを置くような場合にも作業が行いやすい。このように、本実施形態によれば、使用時に広いスペースが要らず、使い勝手が良く、作業性に優れたバインダーを提供できる。
【００５２】
また、ノート用紙１０のページめくり動作を行う場合、表示部３を回転移動させるだけで表示部３を一旦退避させることができるため、ページをめくるたびにいちいち表示部を取り外したり、取り付けたりする必要がなく、使用者がストレスなく作業を行うことができる。また、表示部３は両面表示が可能であるため、どちらか一方のページ上でしか表示を見ることができないということがなく、使用者は表示部３を右ページ、左ページの双方に配置することができる。そのため、使用者は、表示部３による表示を見ながら、どちらのページのノート用紙１０も筆記に使用できる。
【００５３】
また、表示部３の大きさがページの略半分であり、ページの全面が表示部３で覆われることがない。そのため、表示部３が置かれた側のページにも筆記を行うことができる。さらに、表示部３が縦方向にスライドするため、表示部３が置かれた側のページの全面に筆記を行うことができる。
【００５４】
また、表示部３として透明液晶ディスプレイを用いているため、バックライトに要する電力が不要であり、消費電力が少ないバインダーを提供することができる。また、バックライトが不要なため、表示部３の部品点数が少なく、コストを削減することができる。一般に、透明液晶ディスプレイは表示内容の背景部分が透明であるため、表示内容が見にくいという欠点を有している。ところが、本実施形態の場合、表示内容の背景部分にはノート用紙１０が存在するため、背景部分が白地となり、表示内容が見やすくなるという利点がある。また、背景部分では下地のノート用紙１０が透けて見えるため、書き終わった文章を読むことができ、文章のつながりを確認できる等の利点がある。
【００５５】
（変形例）
なお、本実施形態のバインダー１において、図５（Ａ）、（Ｂ）に示した２軸ヒンジ部に代えて、以下の２軸ヒンジ部を用いても良い。
図１２（Ａ）〜（Ｅ）は、本変形例の２軸ヒンジ部および支持部材を示す斜視図である。図１３（Ａ）〜（Ｃ）は、ページめくり動作時の２軸ヒンジ部単独の動作を示す斜視図である。図１４（Ａ）〜（Ｃ）は、ページめくり動作時の表示部を含む２軸ヒンジ部の動作を示す斜視図である。図１５（Ａ）〜（Ｃ）および図１７（Ａ）〜（Ｃ）は、表示部の退避動作時の２軸ヒンジ部単独の動作を示す斜視図である。図１６（Ａ）〜（Ｃ）および図１８（Ａ）〜（Ｃ）は、表示部の退避動作時の表示部を含む２軸ヒンジ部の動作を示す斜視図である。
【００５６】
本変形例の２軸ヒンジ部６２は、図１２（Ａ）〜（Ｅ）に示すように、図５（Ａ）、（Ｂ）に示した２軸ヒンジ部１３の台座部１４を有しておらず、台板６５がバインダー本体（図示略）に直接固定される。２軸ヒンジ部６２は、台板６５と、支持部材１２が接合された第１の回転軸６３と、台板６５と第１の回転軸６３とを連結する第２の回転軸６４と、を備えている。
【００５７】
図１２（Ｂ）、（Ｃ）に示すように、第１の回転軸６３に第１の取付板６６が接合され、第１の取付板６６に対して垂直に第２の取付板６７が接合されている。第２の取付板６７に、支持部材１２のうちの第１の支持部材１８が接合されている。支持部材１２は、第１の回転軸６３により支持部材１２の長手方向に平行な回転軸周りに回転する。また、支持部材１２は、第２の回転軸６４により支持部材１２の長手方向に垂直な回転軸周りに回転する。
【００５８】
図１３（Ａ）〜（Ｃ）、図１４（Ａ）〜（Ｃ）に示すように、第１の支持部材１８を第１の回転軸６３周りに回転させると、表示部３のページめくり動作を行わせることができる。図１５（Ａ）、（Ｂ）、図１６（Ａ）、（Ｂ）に示すように、支持部材１２を第２の回転軸６４周りに回転させると、ノート用紙１０のページめくり時に表示部３の退避動作を行わせることができる。また、表示部３が図１６（Ａ）、（Ｂ）に示すページと反対側のページにあるときも、図１７（Ａ）、（Ｂ）、図１８（Ａ）、（Ｂ）に示すように、第１の支持部材１８を第２の回転軸６４周りに回転させると、ノート用紙１０のページめくり時に表示部３の退避動作を行わせることができる。
【００５９】
［第２実施形態］
以下、本発明の第２実施形態について、図１９〜図２１を用いて説明する。
本実施形態では、ノートに装着した形態で用いる表示装置の一例を挙げる。
図１９は、本実施形態の表示装置を示す斜視図である。図２０（Ａ）〜（Ｃ）は、本実施形態の表示装置の装着部を示す斜視図である。図２１（Ａ）〜（Ｄ）は、本実施形態の表示装置の使用方法を示す図である。
図１９〜図２１において、第１実施形態で用いた図面と共通の構成要素には同一の符号を付し、説明は省略する。
【００６０】
本実施形態の表示装置５１は、図１９に示すように、表示部３と、回転移動機構４と、装着部５２と、を備えている。装着部５２は、表示部３および回転移動機構４をノートに装着するための部材である。すなわち、第１実施形態は、表示部とバインダー本体とが一体となったバインダーであったのに対し、第２実施形態は、市販のノートに装着して用いることができる表示装置である。
【００６１】
表示部３と回転移動機構４とは、使用者から見て、使用状態における装着部５２の手前側に配置されている。なお、表示部３と回転移動機構４の構成および動作は第１実施形態と同様であるため、説明を省略する。回転移動機構４の２軸ヒンジ部１３は、後述する装着部５２の基台の上端に設置されている。
【００６２】
図２０（Ａ）〜（Ｃ）は、表示部３と回転移動機構４とを取り外した状態の装着部５２を示している。装着部５２は、図２０（Ａ）〜（Ｃ）に示すように、長尺の基台５３と、取付棒５４と、を備えている。取付棒５４の下端は、基台５３の下端にヒンジ部５５を介して回転移動可能に連結されている。取付棒５４の上端には幅広の固定部５６が設けられている。基台５３の上端には、取付棒５４を基台５３に沿わせて配置したときに固定部５６に対応する位置に、固定部５６と嵌合する凹部５７が設けられている。したがって、固定部５６と凹部５７とを嵌合させない状態では、図２０（Ｂ）、（Ｃ）に示すように、基台５３の下端のヒンジ部５５を中心として取付棒５４が回転できる。一方、固定部５６と凹部５７とを嵌合させた状態では、取付棒５４が基台５３に沿った位置で堅固に固定される。
【００６３】
表示装置５１をノートに装着する場合には、例えば図２１（Ａ）に示すように、２軸ヒンジ部１３の第１の回転軸１５を中心として支持部材１２を回転させ、表示部３を基台５３の外側に跳ね上げた状態とする。同時に、取付棒５４を基台５３から開いた状態とし、ノート６０の任意のページを開き、基台５３の上にノート６０の背表紙部分を載せる。次に、図２１（Ｂ）に示すように、取付棒５４を回転させつつ、図２１（Ｃ）に示すように、取付棒５４と基台５３とでノート６０の背表紙部分を挟み込む。その後、支持部材１２を回転させ、表示部３をノート６０の紙面上に配置する。この状態でノート６０を閉じると、図２１（Ｄ）に示す状態となり、表示部３はノート６０の任意のページに挟み込まれた状態となる。
【００６４】
なお、ヒンジ部５５が基台５３に対して僅かに移動する構成、もしくは取付棒５４が弾性を持って湾曲する構成としても良い。これらの構成を採用すれば、厚さが異なるノートに対しても表示装置５１を支障なく装着することができる。
【００６５】
本実施形態においても、表示装置とノートの両方を別個に持ち歩く必要がない、使用時に広いスペースが要らず、作業性に優れる、ノートの全面を充分に活用できる、低消費電力化および低コスト化が図れる、透明液晶ディスプレイであっても表示内容が見やすい、といった第１実施形態と同様の効果を得ることができる。さらに、本実施形態の場合、表示装置５１を汎用のノート６０に装着できるため、使用者は、好みのノートを選んで本実施形態の表示装置を使用することができる。
【００６６】
［第３実施形態］
以下、本発明の第３実施形態について、図２２を用いて説明する。
本実施形態では、第１実施形態と同様、表示機能付きバインダーの一例を挙げる。図２２（Ａ）、（Ｂ）は、本実施形態のバインダーの一つの動作を説明するための図である。
図２２（Ａ）、（Ｂ）において、第１実施形態で用いた図面と共通の構成要素には同一の符号を付し、説明は省略する。
【００６７】
第１実施形態では、回転移動機構として２軸ヒンジ部を備えたものを用いた。この構成に代えて、本実施形態では、図２２に示すように、回転移動機構として１軸ヒンジ部７０を備えている。１軸ヒンジ部７０は１つの回転軸７１を有し、回転軸７１に支持部材１２が連結されている。
【００６８】
本実施形態のバインダー７２においては、図２２（Ａ）、（Ｂ）に示すように、表示部３は常に右ページ側に位置しており、表示部３を左ページ側にめくる動作を行うことはできない。しかしながら、表示部３を、図２２（Ａ）に示す位置、すなわち表示部３の表示面が裏表紙６と対向する位置から、図２２（Ｂ）に示すように、裏表紙６の面に沿う方向に表示面が裏表紙６と対向しない位置まで回転移動させることができる。この動作により、表示部３をバインダー本体２の外側に退避させ、ノート用紙１０のページめくり動作を支障なく行うことができる。
【００６９】
本実施形態においても、表示装置とノートの両方を別個に持ち歩く必要がない、使用時に広いスペースが要らず、作業性に優れる、ノートの全面を充分に活用できる、低消費電力化および低コスト化が図れる、透明液晶ディスプレイであっても表示内容が見やすい、といった第１実施形態と同様の効果を得ることができる。また、本実施形態では簡易な構成のヒンジ部を使用できる。
【００７０】
＜表示制御について＞
以下、各実施形態における表示制御について詳細を説明する。以下では、第１実施形態のバインダー１を用いて表示制御について説明するが、他の実施形態のバインダーでも同様の表示制御を行う。
【００７１】
図２３（Ａ）、（Ｂ）、図２４（Ａ）、（Ｂ）は、各実施形態の表示制御を説明する説明図である。これらの図において、軸ａ１、軸ａ２、軸ａ３は、それぞれ、加速度センサー３２のｘ軸、ｙ軸、ｚ軸を表している。つまり、加速度センサー３２は、表示部３の縦方向をｘ軸、表示部３の横方向（長手方向）をｚ軸、ｘ軸とｚ軸と直交する方向（表示部３の面の法線方向）のｙ軸、として表示部３に固定され、各軸の加速度を検出する。なお、各軸の方向は、他の方向であっても良い。
また、図２３（Ａ）、（Ｂ）、図２４（Ａ）、（Ｂ）において、矢印Ｇは、重力加速度の向きの一例を表している。これらの図は、バインダー１が水平面に置かれている場合の一例である。
【００７２】
図２３（Ａ）は、表示部３を右ページの上側に置いた場合の図である（図９（Ａ）参照）。この場合、加速度センサー３２は、（ｘ，ｙ，ｚ）＝（０，９．８，０）を検出する。なお、（ｘ，ｙ，ｚ）＝（ａｘ，ａｙ，ａｚ）は、ｘ軸の加速度が「ａｘ」ｍ／ｓ２、ｙ軸の加速度が「ａｙ」ｍ／ｓ２、ｚ軸の加速度が「ａｚ」ｍ／ｓ２であることを表す（以下、同じ）。つまり、図２３（Ａ）の場合、加速度センサー３２は、ｘ軸の加速度が「０」ｍ／ｓ２、ｙ軸の加速度が「９．８」ｍ／ｓ２、ｚ軸の加速度が「０」ｍ／ｓ２であることを検出する。なお、９．８ｍ／ｓ２は、重力加速度の大きさである。
【００７３】
図２３（Ｂ）は、表示部３を左ページの上側に置いた場合の図である（図１０（Ａ）参照）。この場合、加速度センサー３２は、（ｘ，ｙ，ｚ）＝（０，−９．８，０）を検出する。つまり、表示部３が右ページ（裏表紙６）側にある場合にはｙ軸方向の加速度が正の値となり、加速度センサー３２は、表示部３が右ページ（裏表紙６）側にある場合にはｙ軸の加速度を正の値として検出する。一方、表示部３が左ページ（表表紙５）側にある場合には、加速度センサー３２は、ｙ軸の加速度を負の値として検出する。このように、表示部３が右側又は左側のどちらの側にあるかで、ｙ軸の加速度の正負が変化する。なお、右側とは、回転移動機構４を上としてバインダーの中心軸（綴じ込み部８）より右ページ側であることをいい、左側とは、左ページ側であることをいう（以下、同じ）。
【００７４】
図２４（Ａ）は、表示部３をバインダー本体の内側にしたまま、表示部３のページめくり動作をしている場合の図である。この図は、表示部３の縦方向が、鉛直方向と一致した場合の図である。この場合、加速度センサー３２は、（ｘ，ｙ，ｚ）＝（０，０，−９．８）を検出する。
【００７５】
図２４（Ｂ）は、表示部３をバインダー本体の外側に退避したまま、表示部３のページめくり動作をしている場合の図である。この図は、表示部３の横方向が、鉛直方向と一致した場合の図である。この場合、加速度センサー３２は、（ｘ，ｙ，ｚ）＝（−９．８，０，０）を検出する。このように、表示部３がバインダー本体の内側にあるか外側にあるかで、ｘ軸とｚ軸の加速度の大小関係が変化する。
【００７６】
図２５は、各実施形態の制御部２２の論理構成を示す概略ブロック図である。なお、この図は、表示制御に係る論理構成を示す。この図において、制御部２２は、起動検出部２７１、センサ値取得部２７２、表裏設定部２７３、記憶部２８、表裏判定部２７４、タイマ２７５、表裏切換部２７６、表示制御部２７７を含んで構成される。例えば、制御部２２のうち、記憶部２８はＮＡＮＤフラッシュメモリで実現され、その他の構成はＣＰＵ２７で実現される。
【００７７】
起動検出部２７１は、例えば使用者からのスイッチ入力に基づいて、バインダー１が起動されたことを検出する。バインダー１が起動されたことを検出した場合、起動検出部２７１は、初期設定命令を表裏設定部２７３へ出力する。
センサ値取得部２７２は、加速度センサー３２が検出した各軸（ｘ軸、ｙ軸、ｚ軸）の加速度を表すセンサ値を取得する。センサ値取得部２７２は、取得したセンサ値を表裏設定部２７３へ出力する。
【００７８】
表裏設定部２７３は、起動検出部２７１から初期設定命令が入力されると、加速度センサー３２に加速度を検出させる。表裏設定部２７３は、加速度センサー３２が検出した加速度を表すセンサ値を、センサ値取得部２７２を介して取得する。
【００７９】
表裏設定部２７３は、取得したセンサ値に基づいて、表示部３のいずれの面が視認側の面であるかを判定する。具体的には、表裏設定部２７３は、ｙ軸の加速度の向きと逆側に使用者が存在すると判定し、その使用者から視認する面を視認側の面であると判定する。ここで、加速度センサー３２が検出する加速度は、重力加速度が支配的になる。つまり、表裏設定部２７３は、重力加速度のｙ軸成分の向きに基づいて、視認側の面を判定する。
なお、表裏設定部２７３は、重力加速度のｙ軸成分が「０」である場合（図２４（Ａ）、（Ｂ）参照）、予め定められた面を視認側の面であると判定する。表裏設定部２７３は、視認側の面を示す視認面情報を記憶部２８に記憶させる。また、表裏設定部２７３は、視認面情報を表裏切換部２７６へ出力する。
【００８０】
タイマ２７５は、設定時間毎に、予め定められたイベントを通知する。
表裏判定部２７４は、加速度の検出間隔を設定時間として、タイマ２７５に設定する。これにより、表裏判定部２７４は、加速度の検出間隔毎に、タイマ２７５からイベントを通知される。表裏判定部２７４は、タイマ２７５からイベントが通知されると、加速度センサー３２に加速度を検出させる。表裏判定部２７４は、加速度センサー３２が検出した加速度を表すセンサ値を、センサ値取得部２７２を介して取得する。
【００８１】
表裏判定部２７４は、取得したセンサ値に基づいて、表示部３のいずれの面が視認側の面であるかを判定する。具体的には、表裏判定部２７４は、ｙ軸成分の加速度の向きと逆側に使用者が存在すると判定し、その使用者から視認する面を視認側の面であると判定する。なお、表裏判定部２７４は、重力加速度のｙ軸成分が「０」である場合、前回のイベントで視認側の面と判定した面を、視認側の面であると判定する。表裏判定部２７４は、視認側の面を示す視認面情報を記憶部２８に記憶させる。また、表裏判定部２７４は、視認面情報を表裏切換部２７６へ出力する。
【００８２】
表裏切換部２７６は、表裏設定部２７３及び表裏判定部２７４から入力された視認面情報が示す面が、視認側の面となるように、表示内容の表裏を切り替える。例えば、表裏切換部２７６は、表裏を切り替える場合に、表示部３の横方向又は縦方向の軸であって表示領域の中心の軸に対して折り返すように、画素値を変換する（鏡映変換ともいう）。
【００８３】
例えば、図２３（Ａ）の場合に座標（ｘ１，ｚ１）の画素値をＧ（ｘ１，ｚ１）とする。ここで、座標は加速度センサー２３の座標軸と同じものとし、ｘ１はｘ軸の座標、ｚ１はｚ軸の座標である。このとき、表裏切換部２７６は、図２３（Ｂ）の場合には、画素値をＧ（ｘ１，２ＺＡ−ｚ１）に変換する。なお、ＺＡは、表示部３の表示面における横（ｚ軸）方向の中心座標である。なお、表示部３をバインダー本体の外側に退避したままページめくり動作が行われたときに表裏を切り替える場合（図２４（Ｂ）参照）、表裏切換部２７６は、例えば画素値Ｇ（ｘ１，ｚ１）をＧ（２ＸＡ−ｘ１，ｚ１）に変換する。なお、ＸＡは、表示部３の表示領域における縦（ｘ軸）方向の中心座標である。
表裏切換部２７６は、表示内容を表す画素値を表示制御部２７７へ出力する。つまり、表裏切換部２７６は、表裏を切り替える場合には、変換後の画素値を表示制御部２７７へ出力する。
【００８４】
表示制御部２７７は、表裏切換部２７６から入力された画素値に基づいて、表示部３に表示内容を表示させる。つまり、表示部３は、ｙ軸成分の加速度の向きと逆側から視認した場合に、正常に表示されるように表示内容を表示する。
以上のように、制御部２２は、両面表示可能なディスプレイで構成される表示部３を、視認側で表面と裏面が変わるように回転移動を行った際に、ディスプレイの視認側の面で表示を行う。
【００８５】
図２６は、各実施形態の制御部２２の動作の一例を示すフローチャートである。
（ステップＳ１０）起動検出部２７１は、バインダー１が起動されたことを検出する。その後、ステップＳ１１へ進む。
（ステップＳ１１）表裏設定部２７３は、ｙ軸の加速度を表すセンサ値を取得する。表裏設定部２７３は、取得したセンサ値の正負を判定する。センサ値が「０」より大きい、つまり、センサ値が正であると判定された場合、ステップＳ１２へ進む。センサ値が「０」より小さい、つまり、センサ値が負であると判定された場合、ステップＳ１３へ進む。センサ値が「０」と判定された場合、ステップＳ１４へ進む。
【００８６】
（ステップＳ１２）表裏設定部２７３は、表示部３が右側に倒されていると判定する（図２３（Ａ）参照）。つまり、表裏設定部２７３は、ｙ軸の負側に使用者が存在すると判定し、その使用者から視認する面を視認側の面であると判定する。表示部３は、表裏設定部２７３の判定結果に基づいて、視認側の面で表示をする。例えば図２３（Ａ）の場合、表示部３は、ｙ軸の負側に存在する使用者がy軸の正の向きに向かって視認するときに、正常に表示されるように表示内容を表示する。つまり、表示部３は、表示部３が右側に倒されている状態で表示する画面を表示する。その後、ステップＳ２へ進む。
【００８７】
（ステップＳ１３）表裏設定部２７３は、表示部３が左側に倒されていると判定する（図２３（Ｂ）参照）。つまり、表裏設定部２７３は、ｙ軸（表示部３の表示面が原点）の正側に使用者が存在すると判定し、その使用者から視認する面を視認側の面であると判定する。表示部３は、表裏設定部２７３の判定結果に基づいて、視認側の面で表示をする。例えば図２３（Ｂ）の場合、表示部３は、ｙ軸の正側に存在する使用者がy軸の負の向きに向かって視認するときに、正常に表示されるように表示内容を表示する。つまり、表示部３は、表示部３が左側に倒されている状態で表示する画面を表示する。その後、ステップＳ２へ進む。
【００８８】
（ステップＳ１４）表裏設定部２７３は、センサ値を再取得した回数が３回以上であるか否かを判定する。具体的には、ステップＳ１１で取得したセンサ値が４回以上連続で「０」であるか否かを判定する。センサ値を再取得した回数が３回以上であると判定された場合（Ｙｅｓ）、ステップＳ１３へ進む。つまり、表裏設定部２７３は、予め定められた面（図２６の一例では、左側に倒されている場合の視認側の面）を視認側の面であると判定する。一方、センサ値を再取得した回数が３回より少ないと判定された場合（Ｎｏ）、ステップＳ１５へ進む。
（ステップＳ１５）表裏設定部２７３は、０．５秒待つ。その後、ステップＳ１１へ戻る。
（ステップＳ２）バインダー１は、定常状態に入る。定常状態で、バインダー１が行う処理の詳細については、後述する。
【００８９】
図２７は、各実施形態の制御部２２の動作の別の一例を示すフローチャートである。このフローチャートは、定常状態で、バインダー１が行う処理（図２６のステップＳ２６）を表す。なお、バインダー１は、起動後、図２７の処理を繰り返す。
【００９０】
（ステップＳ２０１）表裏判定部２７４は、タイマ２７５に加速度の検出間隔が未設定であるか否かを判定する。未設定であると判定された場合、ステップＳ２０２へ進む。一方、設定済みであると判定された場合、ステップＳ２０４へ進む。
（ステップＳ２０２）表裏判定部２７４は、タイマーをセットする。具体的には、表裏判定部２７４は、加速度の検出間隔を設定時間として、タイマ２７５に設定する。その後、ステップＳ２０３へ進む。
【００９１】
（ステップＳ２０３）表裏判定部２７４は、イベント通知用のイベントハンドラをタイマ２７５に設定する。これにより、タイマ２７５は、設定時間が経過する毎に、イベントを表裏判定部２７４へ通知する。その後、ステップＳ２０４へ進む。
（ステップＳ２０４）表裏判定部２７４は、タイマ２７５からイベントが通知されるのを待つ。タイマ２７５からイベントが通知された場合、ステップＳ２０５へ進む。
【００９２】
（ステップＳ２０５）表裏判定部２７４は、タイマ２７５からイベントが通知されると、加速度センサー３２にｙ軸の加速度を検出させる。表裏判定部２７４は、このｙ軸の加速度を表すセンサ値を取得する。表裏判定部２７４は、取得したセンサ値（現在のセンサ値とも称する）を、記憶部２８に記憶させる。なお、記憶部２８は、前回の図２７の処理において、ステップＳ２０５で取得したセンサ値（前回のセンサ値とも称する。）を記憶している。その後、ステップＳ２０６へ進む。
（ステップＳ２０６）表裏判定部２７４は、現在のセンサ値と前回のセンサ値を比較する。具体的には、表裏判定部２７４は、こららのセンサ値について正負の違いがあるか否かを判定する。これにより、表裏判定部２７４は、重力加速度の向きが変化したか否かを判定する。センサ値に正負の違いがあると判定された場合、ステップＳ２０７へ進む。一方、センサ値に正負の違いがないと判定された場合、ステップＳ２１２へ進む。なお、図２７の処理が初回の場合には、ステップＳ２０７へ進む。
【００９３】
（ステップＳ２０７）表裏判定部２７４は、現在のセンサ値の正負を判定する。現在のセンサ値が「０」より大きい、つまり、センサ値が正であると判定された場合、ステップＳ２０８へ進む。現在のセンサ値が「０」より小さい、つまり、センサ値が負であると判定された場合、ステップＳ２１０へ進む。現在のセンサ値が「０」と判定された場合、ステップＳ２１２へ進む。
【００９４】
（ステップＳ２０８）表裏判定部２７４は、表示部３が左側から右側に倒されたと判定する。つまり、表裏判定部２７４は、ｙ軸の負側に使用者が存在するようになったと判定し、その使用者から視認する面を視認側の面であると判定する。表裏切換部２７６は、表示領域の左右の中心軸に対して、画素値Ｇを鏡映変換することで、表示内容（例えばアニメーション）の左右を切り替えて描画する。その後、ステップＳ２０９へ進む。
（ステップＳ２０９）表示部３は、表示部３が右側に倒されている状態で表示する画面を表示する。その後、今回の図２７の処理を終了する。
【００９５】
（ステップＳ２１０）表裏判定部２７４は、表示部３が右側から左側に倒されたと判定する。つまり、表裏判定部２７４は、ｙ軸の正側に使用者が存在するようになったと判定し、その使用者から視認する面を視認側の面であると判定する。表裏切換部２７６は、表示町域の左右の中心軸に対して、画素値Ｇを鏡映変換することで、表示内容の左右を切り替えて描画する。その後、ステップＳ２１１へ進む。
（ステップＳ２１１）表示部３は、表示部３が左側に倒されている状態で表示する画面を表示する。その後、今回の図２７の処理を終了する。
【００９６】
（ステップＳ２１２）表裏判定部２７４は表示部３が倒された側に変化がないと判定し、表示部３は表示内容の表裏を切り替えずに表示する。
【００９７】
このように、バインダー１は、センサ値に基づいて表示内容の表裏を切り替える。例えば、バインダー１は、表示部３に生じる加速度に基づいて、表示内容の表裏を切り替える。これにより、バインダー１は、表示部３のページめくり動作を行った際に視認側の面で表示が行われるように表示を切り替えることができ、使用者に対して表裏を逆向きに表示することを防止できる。
【００９８】
なお、バインダー１は、第１の回転軸１５及び第２の回転軸１６各々の回転角を磁気センサーや、ロータリースイッチを利用するなどして検出し、検出した回転角に基づいて表示を切り替えても良い。また、第１の回転軸６３及び第２の回転軸６４各々の回転角を検出し、検出した回転角に基づいて表示を切り替えても良い。
例えば、回転軸１５、１６、６３、６４は、回転方向に垂直な面においてＮ極とＳ極の極性を持っても良い。バインダー１は、この磁界を検出し、検出した磁界の極性に基づいて、表示を切り替えても良い。
例えば、図１０（Ｂ）の状態を第１の回転軸１５の回転角が「０」度とし、図１０（Ａ）の状態を第１の回転軸１５の回転角が「１８０」度とする。この場合、バインダー１は、加速度センサー３２に代えて或いは加えて、磁界を検出する磁気センサーを備える。バインダー１には、回転角が「０」度から「８９」度（左側）ではＮ極が検出されるような回転軸１５であって、また、回転角が「９１」度から「１８０」度（右側）ではＳ極が検出されるような回転軸１５が設けられている。
この場合、バインダー１は、磁気センサーで磁界の極性を検出することで、表示部３が右側又は左側のいずれかの側に倒れているかを判定し、表示を切り替える。
【００９９】
また、バインダー１は、第２の回転軸１６、６４の回転角に基づいて、表示部３の表示内容の縦横を切り替えても良い。例えば、図１や図１０の状態を第２の回転軸１６の回転角が「０」度とし、図１１の状態を第２の回転軸１６の回転角が「９０」度とする。この場合、バインダー１は、例えば第２の回転軸１６の回転角が「０」度から「４５」度までは、表示部３の縦方向を上下として、表示内容を表示する。また、バインダー１は、例えば第２の回転軸１６の回転角が「４６」度から「９０」度までは、表示部３の縦方向を上下として、表示内容を表示する。
このように、バインダー１は、回転軸１５又は第２の回転軸１６のいずれか一方或いは両方の回転角に基づいて、表示内容（縦横、表裏）を切り替えても良い。
【０１００】
また、バインダー１は、加速度センサー３２に代えて或いは加えて、照度を検出する照度センサーを備えても良い。例えば、バインダー１には、表示部３の面のいずれか一方又は両方に、各面の側の照度を検出する照度センサーを備える。バインダー１は、照度が低い側の面と逆側の面を、視認側の面と判定し、表示する。例えば、図２３（Ａ）、（Ｂ）のような使用状態では、表示部３の片面がノートに接するため、ノートに接した側の面の照度が低くなる。バインダー１は、照度が低い側の面と逆側の面を視認側の面と判定するので、ノートに接しない側の面を視認側の面と判定することができる。
【０１０１】
なお、本発明の技術範囲は上記実施形態に限定されるものではなく、本発明の趣旨を逸脱しない範囲において種々の変更を加えることが可能である。
例えば上記実施形態では、表示部として液晶ディスプレイを採用したが、液晶ディスプレイに代えて、有機エレクトロルミネッセンス（ＥＬ）ディスプレイ、電気泳動ディスプレイ等を採用することもできる。
【０１０２】
例えば、表示部を縦長になるように配置したとき（図１１の配置としたとき）には、使用者がこの状態で表示が正立して見えるように、表示内容を縦横で切り替え可能な構成としても良い。その場合、図１１の位置から、２軸ヒンジ部の第２の回転軸周りに表示部を１８０°回転移動させれば、ノート用紙上に縦長の表示部を配置して表示を見ることができる。
【０１０３】
第２実施形態では、表示装置をノートに装着する例を示したが、ノートに代えて、この表示装置を書籍に装着しても良い。これにより、例えば表示部を用いて用語検索等の作業を行いつつ、本を読む作業を行うことができる。
【０１０４】
その他、上記実施形態のバインダー、もしくは表示装置の各部の形状、数、配置等については、上記実施形態に限ることなく、適宜変更が可能である。例えば、上記実施形態では、Ａ４サイズ対応のバインダー本体として、３０個のリングからなる綴じ込み部の例を挙げたが、２個のパンチ穴を開けた紙片を閉じるための２個のリングを備えたバインダーに本発明を適用しても良い。
【０１０５】
なお、上記実施形態の加速度センサー３２は、ｙ軸の一軸の加速度センサーであっても良い。
【０１０６】
なお、上述した実施形態におけるバインダー１の一部、例えば、制御部２２をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、バインダー１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態におけるバインダー１の一部、または全部を、ＬＳＩ（Ｌａｒｇｅ  Ｓｃａｌｅ  Ｉｎｔｅｇｒａｔｉｏｎ）等の集積回路として実現しても良い。バインダー１の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【産業上の利用可能性】
【０１０７】
本発明は、表示機能付きバインダー、およびノートもしくは書籍に装着した形態で用いられる表示装置に利用可能である。
【符号の説明】
【０１０８】
１，７２…バインダー（表示機能付きバインダー）、２…バインダー本体、３…表示部、４…回転移動機構、５…表表紙、６…裏表紙、８…綴じ込み部、１０…ノート用紙（紙片）、１２…支持部材、１３，６２…２軸ヒンジ部、１５，６３…第１の回転軸、１６，６４…第２の回転軸、５１…表示装置、５２…装着部、６０…ノート、６１…１軸ヒンジ部、６３…回転軸、２２…制御部、２７１…起動検出部、２７２…センサ値取得部、２７３…表裏設定部、２８…記憶部、２７４…表裏判定部、２７５…タイマ、２７６…表裏切換部、２７７…表示制御部。
【図１】
2013154518.tif 000003
【図２】
2013154518.tif 000004
【図３】
2013154518.tif 000005
【図４】
2013154518.tif 000006
【図５】
2013154518.tif 000007
【図６】
2013154518.tif 000008
【図７】
2013154518.tif 000009
【図８】
2013154518.tif 000010
【図９】
2013154518.tif 000011
【図１０】
2013154518.tif 000012
【図１１】
2013154518.tif 000013
【図１２】
2013154518.tif 000014
【図１３】
2013154518.tif 000015
【図１４】
2013154518.tif 000016
【図１５】
2013154518.tif 000017
【図１６】
2013154518.tif 000018
【図１７】
2013154518.tif 000019
【図１８】
2013154518.tif 000020
【図１９】
2013154518.tif 000021
【図２０】
2013154518.tif 000022
【図２１】
2013154518.tif 000023
【図２２】
2013154518.tif 000024
【図２３】
2013154518.tif 000025
【図２４】
2013154518.tif 000026
【図２５】
2013154518.tif 000027
【図２６】
2013154518.tif 000028
【図２７】
2013154518.tif 000029